(57)【要約】【課題】被処理水の処理効率の向上を図ることができる流入管ユニットおよび沈殿槽を提供することである。【解決手段】実施形態の流入管ユニットは、沈殿槽の内側に配置される被処理水の流入管ユニットであって、流入管と、複数の案内羽根とを持つ。前記複数の案内羽根は、少なくとも一部が前記流入管の内側に配置され、前記流入管から供給される前記被処理水が渦巻流となるように前記被処理水の流れを変える。前記複数の案内羽根は、第１羽根と、前記流入管の周方向で前記第１羽根と隣り合うとともに、前記流入管の内周面から前記流入管の内側に向かう方向の長さが前記第１羽根の前記長さよりも短い第２羽根とを含む。【選択図】図２
2017205732.tif 000002
【特許請求の範囲】
【請求項１】
沈殿槽の内側に配置される被処理水の流入管ユニットであって、
流入管と、
少なくとも一部が前記流入管の内側に配置され、前記流入管から供給される前記被処理水が渦巻流となるように前記被処理水の流れを変える複数の案内羽根と、
を備え、
前記複数の案内羽根は、第１羽根と、前記流入管の周方向で前記第１羽根と隣り合うとともに、前記流入管の内周面から前記流入管の内側に向かう方向の長さが前記第１羽根の前記長さよりも短い第２羽根とを含む、
流入管ユニット。
【請求項２】
前記第１羽根は、前記流入管の内周面に面する外周側端部と、この外周側端部とは反対側に位置した内周側端部とを有し、
前記第２羽根は、前記第１羽根の内周側端部に対してよりも、前記第１羽根の外周側端部の近くに配置された、
請求項１に記載の流入管ユニット。
【請求項３】
前記複数の案内羽根は、複数の前記第１羽根を含み、
前記複数の第１羽根は、それぞれ前記流入管の内周面から前記流入管の中心部に向けて延びており、前記流入管の中心軸に対して略直交する方向に沿う断面において、前記複数の第１羽根の内周側端部の間の領域は、前記複数の第１羽根の外周側端部の間の領域に比べて狭い、
請求項２に記載の流入管ユニット。
【請求項４】
前記第１羽根および前記第２羽根は、前記流入管の中心軸を通る鉛直面に対して傾斜して設けられた、
請求項１から請求項３のいずれか１項に記載の流入管ユニット。
【請求項５】
槽体と、
請求項１から請求項４のいずれか１項に記載の流入管ユニットと、
を備えた沈殿槽。
【請求項６】
前記流入管ユニットの下端と前記槽体の底壁との間に配置され、前記流入管ユニットから前記槽体内に供給される前記被処理水を、衝突により鉛直方向とは交差する方向に分散させる分配機構をさらに備えた、
請求項５に記載の沈殿槽。
【請求項７】
前記分配機構は、互いに異なる高さに分かれて配置されるとともにそれぞれ斜め下方に傾いた複数の斜め分散プレートを有した、
請求項６に記載の沈殿槽。
【請求項８】
前記分配機構は、前記流入管から前記槽体内に供給される前記被処理水を複数の流れに分流する分流筒を有し、前記分流筒は、分流した前記被処理水の複数の流れを前記複数の斜め分散プレートに向けて別々に導く、
請求項７に記載の沈殿槽。
【請求項９】
前記複数の斜め分散プレートに含まれる１つの斜め分散プレートは、環状に形成されるとともに、内周端部が前記分流筒の下端に取り付けられた、
請求項８に記載の沈殿槽。
【請求項１０】
前記分配機構は、前記分流筒を含む複数の分流筒を有し、前記複数の分流筒は、それぞれ前記流入管から前記槽体内に供給される前記被処理水を複数の流れに分流するとともに、分流した前記被処理水の複数の流れを前記複数の斜め分散プレートに向けて別々に導く、
請求項８または請求項９に記載の沈殿槽。
【発明の詳細な説明】
【技術分野】
【０００１】
本発明の実施形態は、流入管ユニットおよび沈殿槽に関する。
【背景技術】
【０００２】
流入管から槽体内に供給された被処理水が槽体の内壁面に沿って上昇し、槽体上部の溢流部から清澄水となって流出する沈殿槽が知られている。
ところで、沈殿槽は、処理効率の向上が期待されている。
【先行技術文献】
【特許文献】
【０００３】
【特許文献１】特許第４６９６６４６号公報
【発明の概要】
【発明が解決しようとする課題】
【０００４】
本発明が解決しようとする課題は、処理効率の向上を図ることができる流入管ユニットおよび沈殿槽を提供することである。
【課題を解決するための手段】
【０００５】
実施形態の流入管ユニットは、沈殿槽の内側に配置される被処理水の流入管ユニットであって、流入管と、複数の案内羽根とを持つ。前記複数の案内羽根は、少なくとも一部が前記流入管の内側に配置され、前記流入管から供給される前記被処理水が渦巻流となるように前記被処理水の流れを変える。前記複数の案内羽根は、第１羽根と、前記流入管の周方向で前記第１羽根と隣り合うとともに、前記流入管の内周面から前記流入管の内側に向かう方向の長さが前記第１羽根の前記長さよりも短い第２羽根とを含む。
【図面の簡単な説明】
【０００６】
【図１】第１の実施形態の沈殿槽の全体構成を示す断面図。
【図２】図１中に示された流入管ユニットのＦ２−Ｆ２線に沿う断面図。
【図３】図２中に示された流入管ユニットのＦ３−Ｆ３線に沿う断面図。
【図４】第１の実施形態の複数の案内羽根の一部を示す断面図。
【図５】第１の実施形態の第１変形例の流入管ユニットを示す断面図。
【図６】第１の実施形態の第２変形例の流入管ユニットを示す断面図。
【図７】第１の実施形態の第３変形例の流入管ユニットを示す断面図。
【図８】第１の実施形態の第４変形例の流入管ユニットを示す断面図。
【図９】第２の実施形態の沈殿槽を示す断面図。
【図１０】第３の実施形態の分配機構を示す斜視図。
【図１１】第４の実施形態の分配機構を示す図。
【図１２】第５の実施形態の沈殿槽を示す断面図。
【図１３】第６の実施形態の沈殿槽を示す断面図。
【発明を実施するための形態】
【０００７】
以下、実施形態の流入管ユニットおよび沈殿槽を、図面を参照して説明する。なお以下の説明では、同一または類似の機能を有する構成に同一の符号を付す。そして、それら構成の重複する説明は省略する場合がある。
【０００８】
（第１の実施形態）
まず、図１から図４を参照し、第１の実施形態について説明する。
本実施形態の沈殿槽１は、例えば、工業廃水などの被処理水に含まれる微小のＳＳ（懸濁物質または浮遊物質）を被処理水から分離させる沈殿槽であり、例えば沈降分離法が用いられる沈殿槽である。
【０００９】
図１は、本実施形態の沈殿槽１の全体構成を示す断面図である。
図１に示すように、沈殿槽１は、槽体１１、被処理水供給部１２、流入管ユニット１３、溢流堰１４、被処理水排出部１５、掻寄機構１６、および汚泥引抜管１７を有する。なお図１中では、被処理水の流れを破線の矢印で、またフロックの流れを実線の矢印で模式的に示す。
【００１０】
槽体１１は、円筒状または多角形状などの筒状に形成された容器である。槽体１１は、例えば、底壁２１と、底壁２１の周縁部から上方に向けて起立した周壁２２とを含む。槽体１１は、内部に被処理水を貯留するとともに、フロックを沈殿させる。なお「フロック」とは、凝縮作用によって生成された塊状物を意味し、例えば浮遊物質を含む被処理水中に凝縮剤などが添加されることで生じる綿くず状の塊状物を意味する。槽体１１は、内部に貯留する被処理水の流れを均一化できるように、例えば槽体１１の中心軸１１ｃを鉛直方向と略一致させて設置されている。
【００１１】
本実施形態では、槽体１１の底壁２１は、沈殿物を効率的に回収できるように、底壁２１の中央部が窪んでいる。このような窪んだ形状の一例としては、円錐状または多角錐状を上下逆さまにした形状が採用される。すなわち、底壁２１の中央が錐体の頂点であり、最下部となる。底壁２１の最下部には、沈殿物を槽体１１の外部に排出する排出口２１ａが設けられている。排出口２１ａには、汚泥引抜管１７が接続されている。
【００１２】
槽体１１の大きさは、処理すべき被処理水の量に応じて任意に設定可能である。槽体１１の大きさの一例は、容量が６ｍ３〜８８０ｍ３、内径が２ｍ〜１５ｍ、高さが２ｍ〜５ｍである。ただし、槽体１１の大きさは、上記例に限定されない。
【００１３】
被処理水供給部１２は、例えば槽体１１の外側から槽体１１の内側に延びた流入トラフ（または供給配管など）である。本願で言う「トラフ」とは、溝を形成する構造体を意味する。被処理水供給部１２は、溢流堰１４よりも上方に配置され、流入管ユニット１３の上端に接続されている。被処理水供給部１２は、処理対象の被処理水を流入管ユニット１３内に上方から連続的に供給する。
【００１４】
流入管ユニット１３は、槽体１１の内側（すなわち、沈殿槽１の内側）に配置され、被処理水供給部１２から供給された被処理水を槽体１１内に流入させる。本実施形態の流入管ユニット１３は、流入管３１と、流入管３１の内側に設けられた複数の案内羽根３２とを有する。
【００１５】
流入管３１は、槽体１１の内側に配置されている。なお本願で言う「槽体の内側に配置される」とは、槽体１１の内側に流入管ユニット１３の少なくとも一部が配置されることを意味する。流入管３１は、「センターウェル」または「フィードウェル」などと称されてもよい。被処理水供給部１２は、流入管３１の上端に接続され、被処理水を流入管３１内に上方から供給する。
【００１６】
流入管３１は、例えば円筒状または多角形状などの筒状に形成されている。流入管３１は、流入管３１の中心軸３１ｃを鉛直方向と略一致させて配置されている。例えば、流入管３１の中心軸３１ｃは、槽体１１の中心軸１１ｃと略一致する。流入管３１の大きさは、被処理水の供給量や槽体１１の大きさなどに応じて、適宜設定可能である。流入管３１の内径の一例は、槽体１１の内径に対して０．１〜０．４倍程度である。ただし、流入管３１の大きさは、上記例に限定されない。
【００１７】
流入管３１の下端３１ａは、槽体１１の底壁２１から離れている。すなわち、流入管３１の下端３１ａと槽体１１の底壁２１との間には、被処理水が水平方向に分散して流れる流路が形成されている。また、流入管３１の下端３１ａは、流入管３１の内部を槽体１１内に連通させる開口部（流入口）３１ｂを有する。被処理水供給部１２から流入管３１内に供給された被処理水は、流入管３１内を下方に向けて流れ、流入管３１の下端３１ａの開口部３１ｂから槽体１１内に供給される。流入管３１から槽体１１内に供給された被処理水は、槽体１１の周壁２２の内壁面２２ａと流入管３１の外周面３１ｏとの間をゆっくりと上昇する。例えばこの過程で、フロックの一部が被処理水から分離して沈殿する。
【００１８】
複数の案内羽根３２は、少なくとも一部が流入管３１の内側に配置されている。複数の案内羽根３２は、流入管３１から槽体１１内に供給される被処理水が渦巻流（旋回流）となるように、被処理水の流れを変える。なお、これら案内羽根３２については、詳しく後述する。
【００１９】
掻寄機構１６は、掻寄シャフト４１、駆動モータ４２、支持部材４３、および複数の掻寄板４４を有する。掻寄シャフト４１は、槽体１１の中心部（流入管３１の中心部）に配置されている。掻寄シャフト４１は、流入管３１の中心軸３１ｃの軸方向Ｚにおいて、流入管３１を貫通している。なお「流入管の中心軸の軸方向」とは、流入管３１の中心軸３１ｃと略平行な方向である。駆動モータ４２は、直接または伝達機構などを介して掻寄シャフト４１に接続され、掻寄シャフト４１を回転させる。支持部材４３は、掻寄シャフト４１の下端に連結されている。複数の掻寄板４４は、支持部材４３に取り付けられている。複数の掻寄板４４は、支持部材４３から槽体１１の底壁２１に向けて設けられている。このような構成の掻寄機構１６によれば、駆動モータ４２によって掻寄シャフト４１が回転されることで、支持部材４３および複数の掻寄板４４が回転する。これにより、槽体１１の底壁２１に沈殿した沈殿物が底壁２１の中央部に向けて掻寄せられる。掻寄られた沈殿物は、底壁２１の中央部に設けられた排出口２１ａおよび汚泥引抜管１７を通じて槽体１１の外部に排出される。
【００２０】
溢流堰１４は、槽体１１の上部に設けられている。溢流堰１４は、この溢流堰１４の上端から溢れた被処理水を収容できるように槽体１１内に溝状に設けられている。例えば、溢流堰１４は、槽体１１の周壁２２の内壁面２２ａに沿って設けられている。溢流堰１４は、フロックの分離除去が行われて清浄化された被処理水を被処理水排出部１５に流出させる。
【００２１】
被処理水排出部１５は、例えば溢流堰１４の内部に連通するとともに槽体１１の外側に延びた流出トラフ（または排出配管など）である。被処理水排出部１５は、溢流堰１４の上端から溢れた被処理水を槽体１１の外部に流出させる。槽体１１の外部に流出された被処理水は、例えばさらに他の処理が行われて、ユースポイントに送出される。
【００２２】
次に、流入管ユニット１３に設けられた複数の案内羽根３２について詳しく説明する。
図２は、図１中に示された流入管ユニット１３のＦ２−Ｆ２線に沿う断面図である。図３は、図２中に示された流入管ユニット１３のＦ３−Ｆ３線に沿う断面図である。
図２および図３に示すように、本実施形態の複数の案内羽根３２は、複数の第１羽根３２Ａと、複数の第２羽根３２Ｂとを含む。複数の第１羽根３２Ａおよび複数の第２羽根３２Ｂの各々は、例えば流入管３１の内周面３１ｉに沿う扇形の平板である。
【００２３】
詳しく述べると、複数の第１羽根（第１案内羽根、第１傾斜板）３２Ａは、流入管３１の周方向θにおいて、互いの間に間隔を空けて並べられている。なお「流入管の周方向」とは、流入管３１の中心軸３１ｃの周りを回転する方向であり、「流入管の中心軸周りの方向」と称されてもよい。なお本願で言う「周方向」との言葉は、流入管３１が円筒状であることを限定するものではない。上述したように、流入管３１は、例えば多角形状の筒状でもよい。
【００２４】
図２に示すように、複数の第１羽根３２Ａは、例えば流入管３１の内周面３１ｉに取り付けられている。複数の第１羽根３２Ａは、流入管３１の内周面３１ｉから流入管３１の内側（例えば流入管３１の中心部）に向けて延びている。本実施形態では、複数の第１羽根３２Ａは、流入管３１の内周面３１ｉから流入管３１の中心軸３１ｃに向けて延びている。言い換えると、複数の第１羽根３２Ａは、流入管３１の中心軸３１ｃに対して放射状に配置されている。
【００２５】
複数の第１羽根３２Ａの各々は、外周側端部５１ａと、この外周側端部５１ａとは反対側に位置した内周側端部５１ｂとを有する。外周側端部５１ａは、流入管３１の内周面３１ｉに面する。内周側端部５１ｂは、掻寄シャフト４１に面する。複数の第１羽根３２Ａは、外周側端部５１ａから内周側端部５１ｂに向けて進むに従い、複数の第１羽根３２Ａの間の間隔が狭くなるように互いに傾いている。言い換えると、流入管３１の中心軸３１ｃに対して略直交する方向に沿う断面（すなわち、図２に示す断面）において、複数の第１羽根３２Ａの内周側端部５１ｂの間の領域Ｓ２は、複数の第１羽根３２Ａの外周側端部５１ａの間の領域Ｓ１に比べて狭い。
【００２６】
複数の第２羽根（第２案内羽根、第２傾斜板）３２Ｂは、流入管３１の周方向θにおいて、互いの間に間隔を空けて並べられている。複数の第２羽根３２Ｂは、例えば流入管３１の内周面３１ｉに取り付けられている。複数の第２羽根３２Ｂは、流入管３１の内周面３１ｉから流入管３１の内側（例えば流入管３１の中心部）に向けて延びている。本実施形態では、複数の第２羽根３２Ｂは、流入管３１の内周面３１ｉから流入管３１の中心軸３１ｃに向けて延びている。言い換えると、複数の第２羽根３２Ｂは、流入管３１の中心軸３１ｃに対して放射状に配置されている。
【００２７】
複数の第２羽根３２Ｂの各々は、流入管３１の内周面３１ｉから流入管３１の内側に向かう方向の長さが第１羽根３２Ａの前記長さよりも短い。すなわち、流入管３１の内周面３１ｉから流入管３１の内側に向かう方向における第２羽根３２Ｂの長さ（幅）Ｌ２は、流入管３１の内周面３１ｉから流入管３１の内側に向かう方向における第１羽根３２Ａの長さ（幅）Ｌ１よりも短い。
【００２８】
複数の第２羽根３２Ｂの各々は、流入管３１の周方向θで第１羽根３２Ａと隣り合う。例えば本実施形態では、複数の第２羽根３２Ｂの各々は、流入管３１の周方向θにおいて、複数の第１羽根３２Ａの間に配置されている。すなわち、複数の第２羽根３２Ｂの各々は、流入管３１の周方向θにおいて互いに隣り合う２つの第１羽根３２Ａの間に配置されている。本実施形態では、複数の第１羽根３２Ａと複数の第２羽根３２Ｂとは、流入管３１の周方向θにおいて、交互に配置されている。図２に示すように、複数の第２羽根３２Ｂの各々は、複数の第１羽根３２Ａの内周側端部５１ｂの間の領域Ｓ２を外れるとともに、複数の第１羽根３２Ａの外周側端部５１ａの間の領域Ｓ１に配置されている。すなわち、第２羽根３２Ｂは、第１羽根３１Ａの内周側端部５１ｂに対してよりも、第１羽根３１Ａの外周側端部５１ａの近くに配置されている。
【００２９】
図３は、図２中に示された流入管ユニット１３のＦ３−Ｆ３線に沿う断面図である。
図３に示すように、複数の第１羽根３２Ａおよび複数の第２羽根３２Ｂは、流入管３１の中心軸３１ｃを通る鉛直面ＶＳに対して傾斜している（例えば周方向θに向けて傾斜している）。具体的には、複数の第１羽根３２Ａおよび複数の第２羽根３２Ｂは、流入管３１の中心軸３１ｃから見た場合に、互いに同一方向に傾斜している。本実施形態では、複数の第１羽根３２Ａおよび複数の第２羽根３２Ｂは、中心軸３１ｃから見た傾斜角度が互いに略同じであり、互いに略平行に配置されている。例えば本実施形態では、複数の第１羽根３２Ａおよび複数の第２羽根３２Ｂは、中心軸３１ｃ（鉛直線）に対して直線状に傾斜している。
【００３０】
なお、複数の第１羽根３２Ａおよび複数の第２羽根３２Ｂの傾斜角度は、中心軸３１ｃから見た場合に、中心軸３１ｃ（鉛直線）に対して１０°〜６０°の範囲内であることが好ましく、２０°〜５０°の範囲内であることがより好ましく、３０°〜４０°の範囲内であることがさらに好ましい。ただし、複数の第１羽根３２Ａおよび複数の第２羽根３２Ｂの傾斜角度は、上記例に限定されない。
【００３１】
また本実施形態では、複数の案内羽根３２の各々は、流入管３１の中心軸３１ｃの軸方向Ｚ（鉛直方向）で、１つ以上（例えば複数）の別の案内羽根３２と重なる。例えば、複数の第１羽根３２Ａの各々は、軸方向Ｚで、１つ以上の第２羽根３２Ｂおよび１つ以上の別の第１羽根３２Ａと重なる。複数の第２羽根３２Ｂの各々は、軸方向Ｚで、１つ以上の第１羽根３２Ａおよび１つ以上の別の第２羽根３２Ｂと重なる。
【００３２】
以上説明した槽体１１、被処理水供給部１２、流入管３１、複数の案内羽根３２、溢流堰１４、被処理水排出部１５、掻寄機構１６、および汚泥引抜管１７などは、例えば腐食性の被処理水を取り扱う場合には、ステンレス鋼、プラスチック、または一般構造用圧延鋼材（ＳＳ４００）などの金属板にエポキシ樹脂系などの樹脂素材を塗装した被膜樹脂部材などで形成されてもよく、例えば強度が必要な場合には、ステンレス鋼などで形成されてもよい。ただし、これら部材の材料は、上記例に限定されない。
【００３３】
次に、本実施形態の流入管ユニット１３の作用について説明する。
フロックを含む被処理水は、被処理水供給部１２から流入管３１内の上部に供給される。流入管３１に供給された被処理水は、流入管３１内を下方に向けて流れる。このとき、被処理水は、複数の案内羽根３２に衝突することで、流れ方向が斜め下方に変わる。すなわち、被処理水は、複数の案内羽根３２の間を通ることで、流れ方向が案内羽根３２の傾斜方向に沿うように変わり、流入管３１の中心軸３１ｃを回転中心とする渦巻流（旋回流）が形成される。そして、被処理水は、渦巻流の状態で流入管３１の下端３１ａから槽体１１内に供給される。
【００３４】
流入管３１の下端３１ａから槽体１１内に供給される被処理水が渦巻流の状態にあると、被処理水は、水平方向に移動する力が作用しているため、単に鉛直下方に向けて供給される場合に比べて槽体１１内で分散されやすくなる。このため、被処理水が単に鉛直下方に向けて槽体１１内に供給される場合に比べて、被処理水の鉛直方向の流速が小さくなる。被処理水の鉛直方向の流速が小さくなると、槽体１１の底壁２１に沈殿、堆積しているフロックを含む汚泥の巻き上げが抑制される。
【００３５】
また、流入管３１から槽体１１内に供給された被処理水は、その流れ方向が槽体１１の周壁２２の内壁面２２ａに向かう流れとなる。そして、槽体１１の内壁面２２ａに到達した被処理水の一部は、槽体１１の内壁面２２ａに沿って上昇する上昇流となる。この上昇流に含まれるフロックは、近くのフロックと会合することで塊状になりながら沈降する。また、槽体１１の内壁面２２ａに到達した被処理水の他の一部は、槽体１１内で下降する下降流となる。この下降流に含まれるフロックは、近くのフロックと会合することで塊状になりながらそのまま沈降する。このようにして沈降したフロックは、槽体１１の下部に汚泥として滞留する。
【００３６】
ここで、渦巻流の状態で流入管３１から槽体１１内に供給された被処理水の少なくとも一部は、渦巻流の流れの影響で槽体１１内を大きく旋回しながら槽体１１の内壁面２２ａに向けて流れる。このため、流入管３１の下端３１ａから槽体１１の内壁面２２ａに向けて直線状（放射状）に被処理水が流れる場合に比べて、被処理水が槽体１１の内壁面２２ａに到達するまでの移動距離（移動時間）が長くなる。これにより、フロックの成長および沈殿が促進される。
【００３７】
また、渦巻流の状態で流入管３１から槽体１１内に供給された被処理水の少なくとも一部は、槽体１１の内壁面２２ａと流入管３１の外周面３１ｏとの間の流路を大きく旋回しながら上方に向けてゆっくりと流れる。このため、被処理水が水面に到達するまでの移動距離（槽体１１内での滞留時間）が長くなる。これにより、フロックの成長および沈殿が促進される。
【００３８】
次に、本実施形態の複数の案内羽根３２のフロックの沈殿促進作用を説明する。
図４は、本実施形態の複数の案内羽根３２の一部を示す断面図である。
図４に示すように、例えば第２羽根３２Ｂと第１羽根３２Ａとの間の流路に流入した被処理水に含まれるフロックｆは、フロックｆの自重によって沈降し、第１羽根３２Ａの表面に付着する。ここで、第１羽根３２Ａの表面には、すでに多くのフロックが付着してフロック層が形成されている。そして、被処理水は、第１羽根３２Ａの表面に沿って、下方に向けて流れる。このため、第１羽根３２Ａの表面に付着したフロックｆは、第１羽根３２Ａの表面に沿って下方に押し流され、第１羽根３２Ａの表面上を転がって移動する。この移動中に、フロックｆは、第１羽根３２Ａの表面上の他のフロックと接触を繰り返し、より大きな塊状物に成長する。そして、成長したフロックｆは、第１羽根３２Ａの下端から槽体１１の底壁２１の上に落下して堆積する。これにより、被処理水に含まれるフロックは、被処理水から効率的に分離される。
またこれは、第１羽根３２Ａと第２羽根３２Ｂとの間の流路に流入して第２羽根３２Ｂの表面に付着したフロックｆについても同様である。
【００３９】
このような構成によれば、被処理水の処理効率の向上を図ることができる。
すなわち、例えば一般的な沈降分離法では、被処理水の流れ（上昇流）に対してフロックを流れと逆方向に沈降させなければならないので、フロックの沈降性能や分離効率が良くない場合がある。
【００４０】
そこで、本実施形態の流入管ユニット１３は、流入管３１から槽体１１内に供給される被処理水が渦巻流となるように被処理水の流れを変える複数の案内羽根３２を有する。このような構成によれば、例えば被処理水が流入管３１から槽体１１の内壁面２２ａに到達するまでの移動距離（移動時間）を長くすることができる。これにより、フロックの成長および沈殿が促進され、フロックの沈降性能や分離効率を向上させることができる。また、流入管３１から槽体１１内に供給される被処理水が渦巻流であると、被処理水の鉛直方向の流速が小さくなり、槽体１１の底壁２１に沈殿、堆積しているフロックを含む汚泥の巻き上げを抑制することができる。この観点でも、被処理水の処理効率の向上を図ることができる。
【００４１】
さらに本実施形態では、複数の案内羽根３２は、第１羽根３２Ａと、第２羽根３２Ｂとを含む。第２羽根３２Ｂは、流入管３１の周方向θで第１羽根３２Ａと隣り合うとともに、流入管３１の内周面３１ｉから流入管３１の内側に向かう方向の長さが第１羽根３２Ａの前記長さよりも短い。
【００４２】
このような構成によれば、第２羽根３２Ｂが設けられることで、流入管３１の少なくとも一部の領域において、複数の案内羽根３２の間に大きな間隔が空くことを抑制し、複数の案内羽根３２を比較的小さな間隔で配置することができる。これにより、被処理水に含まれるフロックが複数の案内羽根３２の間を通過する際に、フロックが案内羽根３２の上に沈降しやすくなる。案内羽根３２の上に沈降したフロックは、案内羽根３２の上を被処理水が下方に向けて流れることで、案内羽根３２の上を転がりながら他のフロックと会合しながら成長して大きな塊状物になる。このような成長したフロックは沈降しやすく、案内羽根３２の下端から槽体１１の下部へと沈降する。このため、流入管３１から槽体１１の内壁面２２ａに向かう被処理水に含まれるフロックを減らすことができる。これにより、被処理水の処理効率のさらなる向上を図ることができる。
【００４３】
本実施形態では、第２羽根３２Ｂは、第１羽根３２Ａの内周側端部５１ｂに対してよりも、第１羽根３２Ａの外周側端部５１ａの近くに配置されている。このような構成によれば、複数の第１羽根３２Ａの外周側端部５１ａの近くにおいても、複数の案内羽根３２を比較的小さな間隔で配置することができる。これにより、複数の第１羽根３２Ａの外周側端部５１ａの間の領域Ｓ１においてもフロックが案内羽根３２の上に沈降しやすくなる。これにより、被処理水の処理効率のさらなる向上を図ることができる。
【００４４】
本実施形態では、複数の第１羽根３２Ａは、それぞれ流入管３１の内周面３１ｉから流入管３１の中心部に向けて延びており、流入管３１の中心軸３１ｃに対して略直交する方向に沿う断面において、複数の第１羽根３２Ａの内周側端部５１ｂの間の領域Ｓ２は、複数の第１羽根３２Ａの外周側端部５１ａの間の領域Ｓ１に比べて狭い。このような構成によれば、比較的間隔が広い複数の第１羽根３２Ａの外周側端部５１ａの間の領域Ｓ１においてもフロックが案内羽根３２の上に沈降しやすくなる。
【００４５】
本実施形態では、複数の第１羽根３２Ａおよび複数の第２羽根３２Ｂは、流入管３１の中心軸３１ｃを通る鉛直面ＶＳに対して傾斜して設けられている。このような構成によれば、流入管３１から槽体１１内に供給される被処理水を、より効率的に渦巻流に変えることができる。これにより、被処理水の処理効率のさらなる向上を図ることができる。
【００４６】
次に、図５から図８を参照し、本実施形態の第１から第４の変形例の流入管ユニット１３について説明する。なおこれら第１から第４の変形例の構成は、後述する第２から第６の実施形態にも適用可能である。
【００４７】
（第１変形例）
図５は、第１変形例の流入管ユニット１３を示す断面図である。
図５に示すように、本変形例では、複数の第１羽根３２Ａおよび複数の第２羽根３２Ｂの各々は、中心軸３１ｃから見た場合に、曲面状に形成されている。すなわち、複数の第１羽根３２Ａおよび複数の第２羽根３２Ｂの各々は、上方から下方に向けて進むに従い、傾斜角度が徐々に水平方向に近付くように曲がっている。
【００４８】
このような構成によれば、流入管３１から槽体１１内に供給される被処理水の鉛直方向の流速がさらに小さくなるとともに、渦巻流を形成する回転力を強くすることができる。これにより、槽体１１内での被処理水の移動距離や滞留時間などをさらに長くすることができる。これにより、フロックの成長および沈殿をさらに促進することができる。
【００４９】
（第２変形例）
図６は、第２変形例の流入管ユニット１３を示す断面図である。
図６に示すように、本変形例では、流入管ユニット１３の複数の案内羽根３２は、複数の第１羽根３２Ａ、複数の第２羽根３２Ｂ、および複数の第３羽根３２Ｃを含む。
【００５０】
複数の第２羽根３２Ｂは、流入管３１の周方向θにおいて、隣り合う２つの第１羽根３２Ａの間に２つずつ配置されている。複数の第２羽根３２Ｂの各々は、流入管３１の内周面３１ｉに面した外周側端部５２ａと、この外周側端部５２ａとは反対側に位置した内周側端部５２ｂとを有する。複数の第２羽根３２Ｂは、外周側端部５２ａから内周側端部５２ｂに向けて進むに従い、複数の第２羽根３２Ｂの間の間隔が狭くなるように互いに傾いている。流入管３１の中心軸３１ｃに対して略直交する方向に沿う断面（すなわち、図６に示す断面）において、複数の第２羽根３２Ｂの内周側端部５２ｂの間の領域Ｓ４は、複数の第２羽根３２Ｂの外周側端部５２ａの間の領域Ｓ３に比べて狭い。
【００５１】
複数の第３羽根（第３案内羽根、第３傾斜板）３２Ｃは、流入管３１の周方向θにおいて、互いの間に間隔を空けて並べられている。複数の第３羽根３２Ｃは、例えば流入管３１の内周面３１ｉに取り付けられている。複数の第３羽根３２Ｃは、流入管３１の内周面３１ｉから流入管３１の内側（例えば流入管３１の中心部）に向けて延びている。
【００５２】
複数の第３羽根３２Ｃの各々は、流入管３１の内周面３１ｉから流入管３１の内側に向かう方向の長さが第２羽根３２Ｂの前記長さよりも短い。すなわち、流入管３１の内周面３１ｉから流入管３１の内側に向かう方向における第３羽根３２Ｃの長さ（幅）Ｌ３は、流入管３１の内周面３１ｉから流入管３１の内側に向かう方向における第２羽根３２Ｂの長さ（幅）Ｌ２よりも短い。
【００５３】
複数の第３羽根３２Ｃの各々は、流入管３１の周方向θにおいて、第２羽根３２Ｂ（または第１羽根３２Ａ）と隣り合う。本実施形態では、複数の第３羽根３２Ｃの各々は、流入管３１の周方向θにおいて、複数の第２羽根３２Ｂの間に配置されている。すなわち、複数の第３羽根３２Ｃの各々は、流入管３１の周方向θにおいて互いに隣り合う２つの第２羽根３２Ｂの間に配置されている。複数の第３羽根３２Ｃの各々は、複数の第２羽根３２Ｂの内周側端部５２ｂの間の領域Ｓ４を外れるとともに、複数の第２羽根３２Ｂの外周側端部５２ａの間の領域Ｓ３に配置されている。すなわち、第３羽根３２Ｃは、第２羽根３２Ｂの内周側端部５２ｂに対してよりも、第２羽根３２Ｂの外周側端部５２ａの近くに配置されている。
【００５４】
このような構成によれば、第３羽根３２Ｃが設けられることで、流入管３１内の少なくとも一部の領域において、複数の案内羽根３２の間隔がさらに狭くなる。言い換えると、複数の案内羽根３２をさらに小さな間隔で配置することができる。これにより、フロックが案内羽根３２の上にさらに沈降しやすくなり、被処理水の処理効率のさらなる向上を図ることができる。
【００５５】
（第３変形例）
図７は、第３変形例の流入管ユニット１３を示す断面図である。
図７に示すように、本変形例では、流入管ユニット１３の複数の案内羽根３２は、複数の第１羽根３２Ａ、複数の第２羽根３２Ｂ、および複数の第３羽根３２Ｃを含む。なお、以下に説明する以外の構成は、第２変形例の構成と同様である。
【００５６】
本変形例では、複数の第２羽根３２Ｂは、流入管３１の周方向θにおいて、隣り合う２つの第１羽根３２Ａの間に１つずつ配置されている。また本変形例では、複数の第３羽根３２Ｃは、流入管３１の周方向θにおいて、隣り合う第１羽根３２Ａと第２羽根３２Ｂとの間に１つずつ配置されている。複数の第３羽根３２Ｃの各々は、第２羽根３２Ｂの内周側端部５２ｂと第１羽根３２Ａとの間の領域を外れるとともに、第２羽根３２Ｂの外周側端部５２ａと第１羽根３２Ａの外周側端部５１ａとの間の領域に配置されている。
【００５７】
このような構成によれば、第２変形例と同様に、流入管３１内の少なくとも一部の領域において、複数の案内羽根３２の間隔がさらに狭くなる。これにより、フロックが案内羽根３２の上にさらに沈降しやすくなり、被処理水の処理効率のさらなる向上を図ることができる。
【００５８】
（第４変形例）
図８は、第４変形例の流入管ユニット１３を示す断面図である。
図８に示すように、本変形例では、流入管ユニット１３の複数の案内羽根３２は、複数の第１羽根３２Ａ、複数の第２羽根３２Ｂ、および複数の第３羽根３２Ｃを含む。なお、以下に説明する以外の構成は、第３変形例の構成と同様である。
【００５９】
本変形例では、複数の案内羽根３２（複数の第１羽根３２Ａ、複数の第２羽根３２Ｂ、および複数の第３羽根３２Ｃ）の各々は、流入管３１の内周面３１ｉから中心軸３１ｃを外れた位置に向けて延びている。言い換えると、複数の案内羽根３２は、流入管３１の中心軸３１ｃを中心とする放射方向に対して傾いて設けられている。すなわち、複数の案内羽根３２は、それら案内羽根３２の各々の主面に沿って延びる仮想線ＶＬ１が流入管３１の中心軸３１ｃを通らないように、中心軸３１ｃに対して角度をずらして配置されている。
【００６０】
このような構成によれば、第２変形例と同様に、流入管３１内の少なくとも一部の領域において、複数の案内羽根３２の間隔がさらに狭くなる。これにより、フロックが案内羽根３２の上にさらに沈降しやすくなり、被処理水の処理効率のさらなる向上を図ることができる。
【００６１】
また本変形例では、複数の案内羽根３２が流入管３１の中心軸３１ｃに対して角度を持って配置されることで、例えば掻寄シャフト４１を避けて複数の案内羽根３２の大きさを大きくすることができる。これにより、フロックが案内羽根３２の上にさらに沈降しやすくなり、被処理水の処理効率のさらなる向上を図ることができる。また、複数の案内羽根３２が流入管３１の中心軸３１ｃに対して角度を持って配置されると、被処理水が複数の案内羽根３２に衝突した際に、渦巻流の回転力をさらに大きくすることができる。これにより、被処理水の処理効率のさらなる向上を図ることができる。
【００６２】
（第２の実施形態）
次に、図９を参照して、第２の実施形態について説明する。本実施形態は、流入管３１の下方に分配機構６０が設けられた点で第１の実施形態とは異なる。なお、以下に説明する以外の構成は、第１の実施形態と同様である。
【００６３】
図９は、本実施形態の沈殿槽１を示す断面図である。
図９に示すように、本実施形態の沈殿槽１は、流入管３１の下方に分配機構（分散機構）６０を有する。分配機構６０は、流入管３１の下端３１ａと槽体１１の底壁２１との間に配置され、流入管３１の開口部３１ｂに下方から面する。本実施形態の分配機構６０は、略水平方向に沿う１枚の分散プレート６１によって形成されている。分散プレート６１は、円形状または多角形状に形成されている。分散プレート６１は、例えば流入管３１の開口部３１ｂよりも大きな面積を有するが、これに限定されない。
【００６４】
分散プレート６１には、流入管３１から槽体１１内に流入して下方に向けて流れる被処理水が衝突する。分散プレート６１は、流入管３１から槽体１１内に流入する被処理水の流れ方向を、被処理水が分散プレート６１に衝突することにより鉛直方向とは交差する方向に変える。これにより、分散プレート６１は、流入管３１から槽体１１内に流入する被処理水を、鉛直方向とは交差する方向に分散させる。
【００６５】
このような構成によれば、流入管３１から槽体１１内に流入する被処理水が分散プレート６１によって鉛直方向とは交差する方向に分散されるので、槽体１１の底壁２１の上に沈殿した汚泥が巻上げられることを抑制することができる。これにより、被処理水の処理効率のさらなる向上を図ることができる。また別の観点で見ると、分散プレート６１によって汚泥が巻上げられることが抑制されると、流入管３１の下端を槽体１１の底壁２１の近くに配置することできる。これにより、沈殿槽１の高さを低くすることができる。
【００６６】
（第３の実施形態）
次に、図１０を参照して、第３の実施形態について説明する。本実施形態は、分配機構６０が３つの分散プレート６１，６２，６３を有した点で第２の実施形態とは異なる。なお、以下に説明する以外の構成は、第２の実施形態と同様である。
【００６７】
図１０は、本実施形態の分配機構６０を示す斜視図である。
図１０に示すように、本実施形態の分配機構６０は、第１分散プレート６１、第２分散プレート６２、および第３分散プレート６３を有する。第１分散プレート６１、第２分散プレート６２、および第３分散プレート６３は、互いに異なる高さに配置されている。例えば、第１分散プレート６１は、３つの分散プレート６１，６２，６３のなかで最も上方（最も流入管３１の下端３１ａの近く）に配置されている。第３分散プレート６３は、３つの分散プレート６１，６２，６３のなかで最も下方（最も槽体１１の底壁２１の近く）に配置されている。第２分散プレート６２は、第１分散プレート６１と第３分散プレート６３との間に配置されている。第１分散プレート６１、第２分散プレート６２、および第３分散プレート６３は、それぞれ例えば円形状または多角形状に形成されている。
【００６８】
本実施形態では、第１分散プレート６１は、第１開口部６５を有する。第２分散プレート６２は、第２開口部６６を有する。第２開口部６６は、第１開口部６５よりも小さい。第１開口部６５および第２開口部６６は、円形状または多角形状に形成されている。第１開口部６５および第２開口部６６は、槽体１１の中心軸１１ｃ（掻寄シャフト４１）を中心とする同心円状に配置されている。本実施形態では、第１開口部６５および第２開口部６６は、円形状に形成されている。そして、第２開口部６６の直径は、第１開口部６５の直径よりも小さい。一方で、第３分散プレート６３には、開口部は設けられていない。
【００６９】
次に、本実施形態の分配機構６０の作用について説明する。
図１０に示すように、流入管３１の下端３１ａから槽体１１内に供給された被処理水の一部は、第１分散プレート６１が設けられた高さで第１分散プレート６１に衝突する。第１分散プレート６１に衝突した被処理水は、第１分散プレート６１によって鉛直方向とは交差する方向に分散される。
【００７０】
同様に、流入管３１の下端３１ａから槽体１１内に流入した被処理水の別の一部は、第２分散プレート６２が設けられた高さで第２分散プレート６２に衝突する。第２分散プレート６２に衝突した被処理水は、第２分散プレート６２によって鉛直方向とは交差する方向に分散される。さらに、流入管３１の下端３１ａから槽体１１内に流入した被処理水のさらに別の一部は、第３分散プレート６３が設けられた高さで第３分散プレート６３に衝突する。第３分散プレート６３に衝突した被処理水は、第３分散プレート６３によって鉛直方向とは交差する方向に分散される。
【００７１】
このような構成によれば、流入管３１から槽体１１内に流入する被処理水は、外周側から順番に第１分散プレート６１、第２分散プレート６２、および第３分散プレート６３に別々に衝突する。すなわち、被処理水は、各分散プレート６１，６２，６３に段階的に衝突して分散されるため、１枚の分散プレートによって分散させる場合に比べて、効率的に分散させることができる。これにより、槽体１１内で被処理水の流れが局所的に速くなることなどを抑制することができる。これにより、槽体１１内における被処理水の滞留時間をさらに長くすることができ、被処理水の処理効率のさらなる向上を図ることができる。
【００７２】
なお、分配機構６０は、上下に配置された２枚の分散プレートのみを有してもよく、または多段に配置された４枚以上の分散プレートを有してもよい。
【００７３】
（第４の実施形態）
次に、図１１を参照して、第４の実施形態について説明する。本実施形態は、分配機構６０が複数の案内羽根７１を有した点で第３の実施形態とは異なる。なお、以下に説明する以外の構成は、第３の実施形態と同様である。
【００７４】
図１１は、本実施形態の分配機構６０を示す斜視図である。
図１１に示すように、本実施形態の分配機構６０は、第１分散プレート６１、第２分散プレート６２、および複数の案内羽根７１を有する。第１分散プレート６１は、開口部６５を有する。一方で、第２分散プレート６２には、開口部は設けられていない。なお、分配機構６０は、第３の実施形態のように、多段に配置された３枚以上の分散プレートを有してもよい。
【００７５】
本実施形態では、複数の案内羽根７１は、第１分散プレート６１および第２分散プレート６２の上面に取り付けられ、略鉛直方向に起立している。複数の案内羽根７１は、槽体１１の中心軸１１ｃ（掻寄シャフト４１）を中心とする放射方向に対して傾いて設けられている。複数の案内羽根７１は、槽体１１の中心軸１１ｃを中心とする放射方向に対して、例えば流入管３１から槽体１１内に供給される被処理水の渦巻流の流れ方向（旋回方向）に沿うように傾いている。
【００７６】
すなわち、複数の案内羽根７１は、槽体１１の中心軸１１ｃから外れた位置に向けて延びている。言い換えると、複数の案内羽根７１は、それら案内羽根７１の各々の主面に沿って延びる仮想線ＶＬ２が槽体１１の中心軸１１ｃを通らないように、中心軸１１ｃに対して角度をずらして配置されている。
【００７７】
このような構成によれば、分配機構６０に案内羽根７１が設けられているため、流入管３１から槽体１１内に供給される渦巻流の回転力が弱まることを抑制し、場合によっては渦巻流の旋回力を高めることができる。このため、槽体１１内における被処理水の移動距離や滞留時間などをさらに長くすることができ、被処理水の処理効率のさらなる向上を図ることができる。
【００７８】
また本実施形態では、複数の案内羽根７１が槽体１１の中心軸１１ｃに対して角度を持って配置されることで、被処理水が複数の案内羽根７１に衝突した際に、渦巻流の回転力をさらに大きくすることができる。これにより、被処理水の処理効率のさらなる向上を図ることができる。
【００７９】
（第５の実施形態）
次に、図１２を参照して、第５の実施形態について説明する。本実施形態は、分配機構６０が複数の分流筒８１，８２を有した点で第３の実施形態とは異なる。なお、以下に説明する以外の構成は、第３の実施形態と同様である。
【００８０】
図１２は、本実施形態の沈殿槽１を示す断面図である。
図１２に示すように、本実施形態の分配機構６０は、第１分散プレート６１、第２分散プレート６２、第３分散プレート６３、第１分流筒８１、および第２分流筒８２を有する。
【００８１】
第１分流筒８１および第２分流筒８２の各々は、円筒状または多角形状などの筒状に形成され、両端部に開口部を有する。第１分流筒８１および第２分流筒８２の各々は、流入管３１から槽体１１内に供給される被処理水を複数の流れに分流する。すなわち、第１分流筒８１は、第１分流筒８１に向けて流れた被処理水を、第１分流筒８１の外周側に流れる流れと、第１分流筒８１の内周側に流れる流れとに分ける。同様に、第２分流筒８２は、第２分流筒８２に向けて流れた被処理水を、第２分流筒８２の外周側に流れる流れと、第２分流筒８２の内周側に流れる流れとに分ける。
【００８２】
本実施形態では、第１分流筒８１および第２分流筒８２の各々は、略鉛直方向に沿って配置され、両端部の開口部を上下方向に向けている。第２分流筒８２の水平方向の外形（平面視における外形）は、第１分流筒８１の水平方向の外形よりも小さい。第２分流筒８２は、第１分流筒８１の内側に配置されている。例えば、第１分流筒８１および第２分流筒８２は、槽体１１の中心軸１１ｃ（掻寄シャフト４１）を中心とする同心円状に配置されている。
【００８３】
これにより、槽体１１内には、第１流路９１、第２流路９２、および第３流路９３が形成されている。第１流路９１は、流入管３１の内周面３１ｉと第１分流筒８１の外周面との間に形成される。第２流路９２は、第１分流筒８１の内周面と第２分流筒８２の外周面との間に形成される。第３流路９３は、第２分流筒８２の内側に形成される。
【００８４】
また本実施形態では、第１分流筒８１および第２分流筒８２の上端は、流入管３１の内側に挿入されている。一方で、第１分流筒８１の下端８１ａおよび第２分流筒８２の下端８２ａは、流入管３１の下端３１ａよりも下方に位置する。また、第２分流筒８２は、第１分流筒８１に比べて、より下方まで延びている。すなわち、第２分流筒８２の下端８２ａは、第１分流筒８１の下端８１ａよりも下方に位置する。
【００８５】
また、第１分散プレート６１は、第１開口部６５を有し、環状に形成されている。第１分散プレート６１の第１開口部６５の形状および大きさは、第１分流筒８１の外形の形状および大きさと略同じである。第１分散プレート６１の内周端部６１ａは、第１分流筒８１の下端８１ａに取り付けられている。これにより、第１分散プレート６１と第１分流筒８１とは、一体に形成されている。なお本願で言う「内周端部」とは、環状に形成された部材の内周面と、前記部材のなかで前記内周面に隣接した縁部とを含む領域である。
【００８６】
同様に、第２分散プレート６２は、第２開口部６６を有し、環状に形成されている。第２分散プレート６２の第２開口部６６の形状および大きさは、第２分流筒８２の外形の形状および大きさと略同じである。第２分散プレート６２の内周端部６２ａは、第２分流筒８２の下端８２ａに取り付けられている。これにより、第２分散プレート６２と第２分流筒８２とは、一体に形成されている。なお本実施形態では、第１分散プレート６１、第２分散プレート６２、および第３分散プレート６３は、それぞれ略水平方向に沿って配置されている。
【００８７】
次に、本実施形態の分配機構６０の作用について説明する。
図１２に示すように、流入管３１内を下方に向けて流れる被処理水の一部は、流入管３１の下端３１ａにおいて上記第１流路９１に入る。第１流路９１に入った被処理水は、第２流路９２および第３流路９３に入った被処理水とは分離された状態で、第１分散プレート６１に向けて流れて第１分散プレート６１に衝突する。これにより、第１流路９１に入った被処理水は、第１分散プレート６１によって鉛直方向とは異なる方向に分散される。
【００８８】
同様に、流入管３１内を下方に向けて流れる被処理水の別の一部は、流入管３１の下端３１ａにおいて第２流路９２に入る。第２流路９２に入った被処理水は、第１流路９１および第３流路９３に入った被処理水とは分離された状態で、第２分散プレート６２に向けて流れて第２分散プレート６２に衝突する。これにより、第２流路９２に入った被処理水は、第２分散プレート６２によって鉛直方向とは異なる方向に分散される。
【００８９】
また、流入管３１内を下方に向けて流れる被処理水のさらに別の一部は、流入管３１の下端において第３流路９３に入る。第３流路９３に入った被処理水は、第１流路９１および第２流路９２に入った被処理水とは分離された状態で、第３分散プレート６３に向けて流れて第３分散プレート６３に衝突する。これにより、第３流路９３に入った被処理水は、第３分散プレート６３によって鉛直方向とは異なる方向に分散される。
【００９０】
すなわち、本実施形態では、分配機構６０は、流入管３１から槽体１１内に供給される被処理水を複数の流れに分流する第１分流筒８１を有する。第１分流筒８１は、分流した被処理水の複数の流れを、第１分散プレート６１および第２分散プレート６２に向けて別々に導く。このような構成によれば、第１分散プレート６１および第２分散プレート６２に対してそれぞれ安定した量の被処理水を衝突させることができる。これにより、分配機構６０によって被処理水をより効率的に分散させることができる。これにより、被処理水の処理効率のさらなる向上を図ることができる。
【００９１】
本実施形態では、分配機構６０は、複数の分流筒（第１分流筒８１および第２分流筒８２）を有する。第１分流筒８１および第２分流筒８２は、それぞれ流入管３１から槽体１１内に供給される被処理水を複数の流れに分流するとともに、分流した被処理水の複数の流れを３つの分散プレート６１，６２，６３に向けて別々に導く。このような構成によれば、３つ以上の分散プレート６１，６２，６３に対してもそれぞれ安定した量の被処理水を衝突させることができる。これにより、被処理水の処理効率のさらなる向上を図ることができる。
【００９２】
（第６の実施形態）
次に、図１３を参照して、第６の実施形態について説明する。本実施形態は、分配機構６０が分散プレート６１，６２，６３に代えて斜め分散プレート１０１，１０２，１０３を有した点で第５の実施形態とは異なる。なお、以下に説明する以外の構成は、第５の実施形態と同様である。
【００９３】
図１３は、本実施形態の沈殿槽１を示す断面図である。
図１３に示すように、本実施形態の分配機構６０は、第１斜め分散プレート１０１、第２斜め分散プレート１０２、第３斜め分散プレート１０３、第１分流筒８１、および第２分流筒８２を有する。
【００９４】
第１斜め分散プレート１０１、第２斜め分散プレート１０２、および第３斜め分散プレート１０３は、互いに異なる高さに配置されているとともに、それぞれ斜め下方に傾斜している。具体的には、第１斜め分散プレート１０１、第２斜め分散プレート１０２、および第３斜め分散プレート１０３の各々は、槽体１１の中心軸１１ｃから槽体１１の内壁面２２ａに向けて進むに従い、高さが低くなるように傾斜している。つまり、第１斜め分散プレート１０１、第２斜め分散プレート１０２、および第３斜め分散プレート１０３の各々は、円錐台状の傾斜部（傾斜リング）を形成している。
【００９５】
なお、第１斜め分散プレート１０１、第２斜め分散プレート１０２、および第３斜め分散プレート１０３は、水平方向に対して傾斜している点を除き、第５の実施形態の第１分散プレート６１、第２分散プレート６２、および第３分散プレート６３と略同じである。すなわち、第１斜め分散プレート１０１は、環状に形成されるとともに、内周端部１０１ａが第１分流筒８１の下端に取り付けられている。第１斜め分散プレート１０１は、例えば第１分流筒８１と一体に形成されている。同様に、第２斜め分散プレート１０２は、環状に形成されるとともに、内周端部１０２ａが第２分流筒８２の下端に取り付けられている。第２斜め分散プレート１０２は、例えば第２分流筒８２と一体に形成されている。
【００９６】
次に、本実施形態の分配機構６０の作用について説明する。
図１３に示すように、流入管３１内を下方に向けて流れる被処理水の一部は、流入管３１の下端３１ａにおいて上記第１流路９１に入る。第１流路９１に入った被処理水は、第２流路９２および第３流路９３に入った被処理水とは分離された状態で、第１斜め分散プレート１０１に向けて流れ、第１斜め分散プレート１０１が設けられた高さで第１斜め分散プレート１０１に衝突する。これにより、第１流路９１に入った被処理水は、第１斜め分散プレート１０１によって鉛直方向とは異なる方向（例えば斜め下方）に分散される。
【００９７】
同様に、流入管３１内を下方に向けて流れる被処理水の別の一部は、流入管３１の下端３１ａにおいて第２流路９２に入る。第２流路９２に入った被処理水は、第１流路９１および第３流路９３に入った被処理水とは分離された状態で、第２斜め分散プレート１０２に向けて流れ、第２斜め分散プレート１０２が設けられた高さで第２斜め分散プレート１０２に衝突する。これにより、第２流路９２に入った被処理水は、第２斜め分散プレート１０２によって鉛直方向とは異なる方向（例えば斜め下方）に分散される。
【００９８】
また、流入管３１内を下方に向けて流れる被処理水のさらに別の一部は、流入管３１の下端において第３流路９３に入る。第３流路９３に入った被処理水は、第１流路９１および第２流路９２に入った被処理水とは分離された状態で、第３斜め分散プレート１０３に向けて流れ、第３斜め分散プレート１０３が設けられた高さで第３斜め分散プレート１０３に衝突する。これにより、第３流路９３に入った被処理水は、第３斜め分散プレート１０３によって鉛直方向とは異なる方向（例えば斜め下方）に分散される。
【００９９】
このような構成によれば、第５の実施形態と同様に、被処理水を安定して分散させることができる。ここで、例えば第５の実施形態の構成では、流入管３１から槽体１１内に供給される被処理水に含まれるフロックが複数の分散プレート６１，６２，６３の上に堆積する場合がある。分散プレート６１，６２，６３に堆積したフロックは、槽体１１の底壁２１の上に落ちにくいので、定期的なメンテナンスが必要になる可能性がある。特に、第１から第５の実施形態のように流入管３１の内側にフロックの成長を促す複数の案内羽根３２が設けられている場合、流入管３１の下方に位置する分散プレート６１，６２，６３の上にはフロックが堆積しやすいと言える。
【０１００】
そこで、本実施形態では、分配機構６０は、流入管３１から槽体１１内に供給される被処理水を鉛直方向とは異なる方向に分散させる分散プレートとして、少なくとも１枚の斜め分散プレート１０１，１０２，１０３を有する。このような斜め分散プレート１０１，１０２，１０３は、斜め下方に傾いているため、これら斜め分散プレート１０１，１０２，１０３に付着したフロックは、斜め分散プレート１０１，１０２，１０３の表面に沿う被処理水の流れによって槽体１１の底壁２１に向けて移動しやすい。これにより、斜め分散プレート１０１，１０２，１０３の上にフロックが堆積することを抑制することができる。これにより、沈殿槽１のメンテナンス性などを向上させることができる。
【０１０１】
本実施形態では、少なくとも１つの斜め分散プレート１０１，１０２は、環状に形成されるとともに、内周端部１０１ａ，１０２ａが分流筒８１，８２の下端に取り付けられている。このような構成によれば、分流筒８１，８２によって安定した量の被処理水が各斜め分散プレート１０１，１０２，１０３に衝突する。これにより、各斜め分散プレート１０１，１０２，１０３に上に付着したフロックが槽体１１の底壁２１に向けてさらに移動しやすくなる。これにより、沈殿槽１のメンテナンス性などをさらに向上させることができる。
【０１０２】
以上、第１から第６の実施形態およびそれに関連した変形例を説明した。ただし、実施形態の構成は、上述した実施形態の構成に限定されない。例えば、第１から第６の実施形態およびそれに関連した変形例の構成は、互いに組み合わせて適用することができる。また例えば、第４の実施形態において分配機構６０に設けられた複数の案内羽根７１は、全ての実施形態の分散プレート６１，６２，６３または斜め分散プレート１０１，１０２，１０３に設けられてもよい。
【０１０３】
例えば、第１羽根３２Ａおよび第２羽根３２Ｂは、それぞれ１枚ずつでもよい。
例えば、分配機構６０は、分流筒８１，８２を有さずに、少なくとも１枚の斜め分散プレート１０１，１０２，１０３のみを有してもよい。また、斜め分散プレート１０１，１０２，１０３、または斜め分散プレート１０１，１０２，１０３と分流筒８１，８２との組み合わせは、案内羽根３２が設けられていない沈殿槽１に適用されてもよい。
【０１０４】
以上説明した少なくともひとつの実施形態によれば、流入管の内側に設けられる複数の案内羽根は、第１羽根と、第２羽根とを含む。第２羽根は、流入管の周方向で第１羽根と隣り合うとともに、前記流入管の内周面から前記流入管の内側に向かう方向の長さが前記第１羽根の前記長さよりも短い。このような構成によれば、被処理水の処理効率の向上を図ることができる。
【０１０５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１０６】
１…沈殿槽、１１…槽体、１３…流入管ユニット、３１…流入管、３２…案内羽根、３２Ａ…第１羽根、３２Ｂ…第２羽根、５１ａ…第１羽根の外周側端部、５１ｂ…第１羽根の内周側端部、６０…分配機構、８１，８２…分流筒、１０１，１０２，１０３…斜め分散プレート、１０１ａ，１０２ｂ…斜め分散プレートの内周端部、ＶＳ…鉛直面、θ…流入管の周方向。
【図１】
2017205732.tif 000003
【図２】
2017205732.tif 000004
【図３】
2017205732.tif 000005
【図４】
2017205732.tif 000006
【図５】
2017205732.tif 000007
【図６】
2017205732.tif 000008
【図７】
2017205732.tif 000009
【図８】
2017205732.tif 000010
【図９】
2017205732.tif 000011
【図１０】
2017205732.tif 000012
【図１１】
2017205732.tif 000013
【図１２】
2017205732.tif 000014
【図１３】
2017205732.tif 000015